(57)【要約】  照明装置および照明器具において、十分な明るさを実現する。ビームを出射するレーザー（５）と、蛍光ランプ（２）の内面に塗布された蛍光体（３）に入射するビームの内面上の位置が移動するようにビームを走査する走査部（６）とを備えたものである。
2015093486.tif 000002
【特許請求の範囲】
【請求項１】
ビームを出射する光源と、
構造物の内面に塗布された蛍光体に入射する前記ビームの前記内面上の位置が移動するように前記ビームを走査する走査部とを備えたことを特徴とする照明装置。
【請求項２】
前記光源がレーザーであることを特徴とする請求項１に記載の照明装置。
【請求項３】
前記レーザーがＰＷＭ信号によって駆動されることを特徴とする請求項２に記載の照明装置。
【請求項４】
前記ビームの波長がＵＶＢの波長であることを特徴とする請求項１から３のいずれか１項に記載の照明装置。
【請求項５】
前記走査部が、ＭＥＭＳミラー、ポリゴンミラー、ガルバノミラーのいずれかであることを特徴とする請求項１から４のいずれか１項に記載の照明装置。
【請求項６】
請求項１から５のいずれか１項に記載の照明装置と、
前記構造物と、
前記蛍光体とを備えていることを特徴とする照明器具。
【請求項７】
前記構造物が筒状の部材であり、
前記光源が前記構造物の一端に配置されており、
前記走査部が前記構造物の他端に配置されていることを特徴とする請求項６に記載の照明器具。
【請求項８】
前記構造物が筒状の部材であり、
前記光源および前記走査部を２つ備えており、
一方の前記光源である第１光源が前記構造物の一端に配置されており、
他方の前記光源である第２光源が前記構造物の他端に配置されており、
一方の前記走査部である第１走査部が前記構造物の他端に配置されており、
他方の前記走査部である第２走査部が前記構造物の一端に配置されており、
前記第１走査部は、前記第１光源から出射されたビームが前記構造物の一端側の内面に塗布された蛍光体に入射するように、前記第１光源から出射されたビームを走査し、
前記第２走査部は、前記第２光源から出射されたビームが前記構造物の他端側の内面に塗布された蛍光体に入射するように、前記第２光源から出射されたビームを走査することを特徴とする請求項６に記載の照明器具。
【発明の詳細な説明】
【技術分野】
【０００１】
本発明は、照明装置および照明器具に関する。
【背景技術】
【０００２】
照明装置、さらには蛍光灯器具等の照明器具において、十分な明るさが望まれている。【０００３】
例えば、特許文献１には、広角な配光と十分な照度を得る照明用ＬＥＤ（Light Emitting Diode）ラインランプが開示されている。特許文献１に開示されている照明用ＬＥＤラインランプは、高出力チップＬＥＤをライン状に多数実装したプリント基板２枚を放熱効率のよい棒状ヒートシンクに一定の角度を付けて左右対称に取り付けたものである。
【先行技術文献】
【特許文献】
【０００４】
【特許文献１】日本国公開特許公報「特開２００７−２８０７３９号公報（２００７年１０月２５日公開）」
【発明の概要】
【発明が解決しようとする課題】
【０００５】
特許文献１に開示されている照明用ＬＥＤラインランプでは、光源としてＬＥＤが用いられている。ここで、ＬＥＤは一般に、出射光の単位面積あたりのフォトンの量が少ない。このため、特許文献１に開示されている照明用ＬＥＤラインランプでは、照明範囲の全体に亘って、光量が少ないので十分な明るさを得ることが難しい。【０００６】
本発明は、前記の課題に鑑みて為されたものであり、その目的は、十分な明るさを実現する照明装置および照明器具を提供することにある。
【課題を解決するための手段】
【０００７】
本発明の態様１に係る照明装置は、ビームを出射する光源と、構造物の内面に塗布された蛍光体に入射する前記ビームの前記内面上の位置が移動するように前記ビームを走査する走査部とを備えたものであることを特徴としている。【０００８】
前記の構成によれば、光源から出射されたビームを、走査部により走査した後、構造物の内面に塗布された蛍光体に入射させる。これにより、蛍光体が励起され、照明が得られる。ビームは、ＬＥＤ等が発光する光に比べ、単位面積あたりのフォトンの量が多い。このため、走査した後のビームによって蛍光体を励起させることによって、照明範囲の全体に亘って、十分な光量を確保することができ、明るい照明を実現することが可能となる。
【発明の効果】
【０００９】
本発明によれば、十分な明るさを実現することができる。
【図面の簡単な説明】
【００１０】
【図１】図１の（ａ）〜（ｃ）は、本発明の一実施の形態に係る照明器具の構成を示す断面図である。
【図２】図１の（ａ）〜（ｃ）に示す蛍光灯器具の動作原理を示す断面図であって、第１経過を示している。
【図３】図１の（ａ）〜（ｃ）に示す蛍光灯器具の動作原理を示す断面図であって、第２経過を示している。
【図４】図１の（ａ）〜（ｃ）に示す蛍光灯器具の動作原理を示す断面図であって、第３経過を示している。
【図５】図１の（ａ）〜（ｃ）に示す蛍光灯器具の動作原理を示す断面図であって、第４経過を示している。
【図６】図１の（ａ）〜（ｃ）に示す蛍光灯器具の動作原理を示す断面図であって、第５経過を示している。
【図７】図１の（ａ）〜（ｃ）に示す蛍光灯器具の動作原理を示す断面図であって、第６経過を示している。
【図８】図１の（ａ）〜（ｃ）に示す蛍光灯器具の動作原理を示す断面図であって、第７経過を示している。
【図９】図１の（ａ）〜（ｃ）に示す蛍光灯器具の動作原理を示す断面図であって、第８経過を示している。
【図１０】図１の（ａ）〜（ｃ）に示す蛍光灯器具の動作原理を示す断面図であって、第９経過を示している。
【図１１】図１の（ａ）〜（ｃ）に示す蛍光灯器具の動作原理を示す断面図であって、第１０経過を示している。
【図１２】図１の（ａ）〜（ｃ）に示す蛍光灯器具の動作原理を示す断面図であって、第１１経過を示している。
【図１３】図１の（ａ）〜（ｃ）に示す蛍光灯器具の動作原理を示す断面図であって、第１２経過を示している。
【図１４】本発明の別の実施の形態に係る照明装置の構成を示す断面図である。
【図１５】本発明の効果の一検証装置およびメカニズムを示す図である。
【図１６】図１５に示す検証装置による、本発明の効果の検証結果を示す図である。
【図１７】図１５に示す検証装置による、本発明の効果の検証結果を示す別の図である。
【図１８】図１のＡ−Ａ断面図である。
【図１９】本発明の効果の別の検証装置およびメカニズムを示す図である。
【図２０】図１９に示す検証装置による、本発明の効果の検証結果を示す図である。
【発明を実施するための形態】
【００１１】
〔実施の形態１〕
図１の（ａ）〜（ｃ）は、本実施の形態に係る照明器具の構成を示す断面図である。
【００１２】
図１に示す蛍光灯器具（照明器具）１は、蛍光ランプ２、蛍光体３、口金部４Ｒおよび４Ｌ、レーザー５１および５２、走査部６１および６２を備えている。
【００１３】
なお、以下、口金部４Ｒと口金部４Ｌとの総称を「口金部４」とし、レーザー５１とレーザー５２との総称を「レーザー５」とし、走査部６１と走査部６２との総称を「走査部６」とする。
【００１４】
また、図１の（ａ）においては口金部４が透視されておらず、図１の（ｂ）および図１の（ｃ）においては口金部４が透視されている。図１の（ｂ）はレーザー５１および走査部６１を含む断面を示しており、図１の（ｃ）はレーザー５２および走査部６２を含む断面を示している。
【００１５】
蛍光ランプ（構造物）２は、透明または半透明の筒状の部材である。蛍光ランプ２の内面には蛍光体３が塗布されている。蛍光ランプ２は、一般的な蛍光ランプと同様のガラス管を用いることができるがこれに限定されず、例えばプラスチック製の管であってもよいし、その他の樹脂製の管であってもよい。
【００１６】
蛍光体３は、照射された光によって励起され、この光と異なる波長の光を放出するものである。先に述べたとおり、蛍光体３は蛍光ランプ２の内面に塗布されている。
【００１７】
口金部４は、蛍光ランプ２の両端にそれぞれ設けられている。具体的に、口金部４Ｒは蛍光ランプ２の一端（図１では右側の端部）に設けられており、口金部４Ｌは蛍光ランプ２の他端（図１では左側の端部）に設けられている。
【００１８】
口金部４には、通常２つの端子が設けられている。口金部４の外部（ひいては蛍光灯器具１の外部）から、この２つの端子を介して、口金部４に設けられた回路に電源電圧等を供給することができる。
【００１９】
レーザー（光源）５は、ビームを出射するものである。レーザー５として例えば、紫外線レーザーを用いることができる。白色ＬＥＤまたは紫外線ＬＥＤ等を用いてレーザーを作成することができれば、そのレーザーを用いても勿論構わない。
【００２０】
レーザー５が出射するビームの波長は、特に限定されないが、ＵＶＢ（UltraViolet radiation B：紫外線Ｂ）の波長であるのが好ましい。ＵＶＢの波長は、２８０〜３２０ｎｍである。一般に、蛍光体は、ＵＶＢの波長を有する光によって励起されるものが多い。従って、該ビームの波長をＵＶＢとすることにより、蛍光体３の選択の幅を広げることができる。レーザー５の出射光自体の波長がＵＶＢの波長ではなくても、ＳＨＧにより蛍光体３への入射光の波長をＵＶＢの波長に変換してもよい。また、レーザー５のワット数は例えば、１０ｍＷである。
【００２１】
また、レーザー５は、パルス信号によって駆動されるのが好ましく、特にＰＷＭ（Pulse Width Modulation：パルス幅変調）信号によって駆動（以下、「ＰＷＭ駆動」と称する）されるのが好ましい。ＰＷＭとは、パルスの大きさは一定で、パルス幅を信号に応じて変化させる変調方式である。例えば、レーザー５として一般的なレーザーダイオードを用いた場合、これを連続発振により駆動すると、蛍光灯器具１の寿命は数十時間程度と非常に短くなる。一方、レーザー５をＰＷＭ駆動することによって、蛍光灯器具１の寿命を延ばすことができる。一例として、パルスのオン時間１μｓ、パルスのオフ時間１ｍｓにて、レーザー５がＰＷＭ駆動される場合、蛍光灯器具１の寿命は、連続発振により駆動する場合のおよそ１０００倍（２万時間程度）とすることが可能である。但し、パルスのオン時間およびオフ時間はこれに限定されず、例えば人間の目から見て蛍光灯器具１による照明が継続的に行われていると認識できるか（すなわち、人間の目に点灯しているように見えないか）否かに応じて、オン時間およびオフ時間を適宜調整すればよい。レーザー５のＰＷＭ駆動は、口金部４にＰＷＭ変調回路（図示しない）を設け、該ＰＷＭ変調回路によりレーザー５の駆動を制御すれば容易に実現することができる。
【００２２】
レーザー（第１光源）５１は口金部４Ｒの中に設けられており、レーザー（第２光源）５２は口金部４Ｌの中に設けられている。換言すれば、レーザー５１は蛍光ランプ２の一端に設けられており（図１の（ｂ）参照）、レーザー５２は蛍光ランプ２の他端に設けられている（図１の（ｃ）参照）。
【００２３】
走査部６は、蛍光ランプ２の内面に塗布された蛍光体３に入射するレーザー５からのビームの同内面上の位置が移動するように該ビームを走査するものである。走査部６の典型的な例は、ＭＥＭＳ（Micro Electro Mechanical System）ミラーである。ＭＥＭＳミラーとは、シリコン上に銀合金を用いて１個のミラーを形成し、このミラーをＰＺＴ（チタン酸ジルコン酸鉛）薄膜の圧電効果を用いて動かせるようにしたデバイスである。ＭＥＭＳミラー以外の走査部６の例として、ポリゴンミラー、ガルバノミラーが挙げられる。さらに、屈折率にもよるが走査部６としてレンズを用いることも考えられるし、レーザー５のワット数が十分高ければ（例えば１Ｗ以上）走査部６として回折格子を用いることも考えられる。走査部６によるビームの走査の速度は例えば、μｓのオーダーである。
【００２４】
走査部（第１走査部）６１は口金部４Ｌの中に設けられており、走査部（第２走査部）６２は口金部４Ｒの中に設けられている。換言すれば、走査部６１は蛍光ランプ２の他端に設けられており（図１の（ｂ）参照）、走査部６２は蛍光ランプ２の一端に設けられている（図１の（ｃ）参照）。口金部４Ｒ内にはレーザー５１および走査部６２が蛍光ランプ２の開口方向に対して垂直な方向に並んで配置されており、口金部４Ｌ内にはレーザー５２および走査部６１が蛍光ランプ２の開口方向に対して垂直な方向に並んで配置されている。そして、走査部６１はレーザー５１から出射されたビームを走査し、走査部６２はレーザー５２から出射されたビームを走査する。
【００２５】
このとき、レーザー５１から出射されたビームは、走査部６１により走査された後、蛍光ランプ２の一端側（図１では右側半分）の内面に塗布された蛍光体３に入射する。これにより、蛍光ランプ２の一端側の内面に塗布された蛍光体３が励起され、蛍光灯器具１の一端側からの照明が得られる。また、レーザー５２から出射されたビームは、走査部６２により走査された後、蛍光ランプ２の他端側（図１では左側半分）の内面に塗布された蛍光体３に入射する。これにより、蛍光ランプ２の他端側の内面に塗布された蛍光体３が励起され、蛍光灯器具１の他端側からの照明が得られる。言うまでもないが、蛍光灯器具１全体としての照明は、蛍光灯器具１の一端側からの照明と、蛍光灯器具１の他端側からの照明との組み合わせとなる。
【００２６】
換言すれば、レーザー５１および走査部６１は、蛍光ランプ２の右側半分の管内全体を高速スキャンして発光させている（図１の（ｂ）参照）。同様に、レーザー５２および走査部６２は、蛍光ランプ２の左側半分の管内全体を高速スキャンして発光させている（図１の（ｃ）参照）。そして、これらの発光の組み合わせが、蛍光灯器具１による照明に対応すると言える。
【００２７】
図２〜図１３は、蛍光灯器具１の動作原理を示す断面図である。ここでは、走査部６としてＭＥＭＳミラーを用いた例について説明する。
【００２８】
なお、以下では説明を簡潔にするために、蛍光ランプ２を図１のＡ−Ａ断面（図１８）から見て、最下部２６、下部２７、準下部２８、および中〜上部２９に分割し、この順で発光領域を形成して蛍光灯器具１全体としての照明を得るものとして説明している。しかしながら、蛍光灯器具１全体としての照明を得るにあたり、蛍光ランプ２をどの位置からどの順序で発光させるかについては任意である。
【００２９】
レーザー５から出射されたビームが、走査部６に導かれる。
【００３０】
図２〜図４には、蛍光ランプ２の最下部２６から発光を得る原理を示している。説明を簡潔にするために、図２〜図４に示す経過に係る説明において、蛍光ランプ２の最下部２６である旨の表現は省略している。
【００３１】
図２に示す経過（第１経過）において、走査部６は、レーザー５から出射されたビームを反射させ、蛍光ランプ２の内面上であって、走査部６から遠い側の蛍光ランプ２の端部に導く。該ビームが導かれた位置に塗布された蛍光体３が励起され、励起された蛍光体３から発光が得られる。この時点では、走査部６から遠い側の蛍光ランプ２の端部において、蛍光灯器具１の発光領域７が形成される。
【００３２】
図３に示す経過（第２経過）において、走査部６は、レーザー５から出射されたビームを反射させ、蛍光ランプ２の内面上であって、走査部６から遠い側の蛍光ランプ２の端部と蛍光ランプ２の中央との中間地点に導く。該ビームが導かれた位置に塗布された蛍光体３が励起され、励起された蛍光体３から発光が得られる。この時点では、発光領域７に加え、発光領域７の走査部６側の端部から、該中間地点まで、蛍光灯器具１の発光領域８が形成される。
【００３３】
図４に示す経過（第３経過）において、走査部６は、レーザー５から出射されたビームを反射させ、蛍光ランプ２の内面上であって、蛍光ランプ２の中央に導く。該ビームが導かれた位置に塗布された蛍光体３が励起され、励起された蛍光体３から発光が得られる。この時点では、発光領域７および８に加え、発光領域８の走査部６側の端部から、蛍光ランプ２の中央まで、蛍光灯器具１の発光領域９が形成される。
【００３４】
図２〜図４に示す経過の間、走査部６は徐々に、ビームの反射角θａが大きくなるようにミラーの角度を変化させ、反射させたビームを導く位置を、蛍光ランプ２の内面上において、徐々に走査部６に近づける。これにより、発光領域７、発光領域８、発光領域９という具合に、走査部６から遠い位置から順に蛍光灯器具１の発光領域が形成されていく。
【００３５】
図５〜図７には、蛍光ランプ２の下部２７から発光を得る原理を示している。説明を簡潔にするために、図５〜図７に示す経過に係る説明において、蛍光ランプ２の下部２７である旨の表現は省略している。
【００３６】
図５に示す経過（第４経過）において、走査部６は、レーザー５から出射されたビームを反射させ、蛍光ランプ２の内面上であって、走査部６から遠い側の蛍光ランプ２の端部に導く。該ビームが導かれた位置に塗布された蛍光体３が励起され、励起された蛍光体３から発光が得られる。この時点では、発光領域７〜９に加え、走査部６から遠い側の蛍光ランプ２の端部において、蛍光灯器具１の発光領域１０が形成される。なお、ビームの進行経路を分かりやすく示すという観点から、発光領域８および９については図示を省略した。
【００３７】
図６に示す経過（第５経過）において、走査部６は、レーザー５から出射されたビームを反射させ、蛍光ランプ２の内面上であって、走査部６から遠い側の蛍光ランプ２の端部と蛍光ランプ２の中央との中間地点に導く。該ビームが導かれた位置に塗布された蛍光体３が励起され、励起された蛍光体３から発光が得られる。この時点では、発光領域７〜１０に加え、発光領域１０の走査部６側の端部から、該中間地点まで、蛍光灯器具１の発光領域１１が形成される。なお、ビームの進行経路を分かりやすく示すという観点から、発光領域９については図示を省略した。
【００３８】
図７に示す経過（第６経過）において、走査部６は、レーザー５から出射されたビームを反射させ、蛍光ランプ２の内面上であって、蛍光ランプ２の中央に導く。該ビームが導かれた位置に塗布された蛍光体３が励起され、励起された蛍光体３から発光が得られる。この時点では、発光領域７〜１１に加え、発光領域１１の走査部６側の端部から、蛍光ランプ２の中央まで、蛍光灯器具１の発光領域１２が形成される。
【００３９】
図５〜図７に示す経過の間、走査部６は徐々に、ビームの反射角θｂが大きくなるようにミラーの角度を変化させ、反射させたビームを導く位置を、蛍光ランプ２の内面上において、徐々に走査部６に近づける。これにより、発光領域１０、発光領域１１、発光領域１２という具合に、走査部６から遠い位置から順に蛍光灯器具１の発光領域が形成されていく。
【００４０】
図８〜図１０には、蛍光ランプ２の準下部２８から発光を得る原理を示している。説明を簡潔にするために、図８〜図１０に示す経過に係る説明において、蛍光ランプ２の準下部２８である旨の表現は省略している。
【００４１】
図８に示す経過（第７経過）において、走査部６は、レーザー５から出射されたビームを反射させ、蛍光ランプ２の内面上であって、走査部６から遠い側の蛍光ランプ２の端部に導く。該ビームが導かれた位置に塗布された蛍光体３が励起され、励起された蛍光体３から発光が得られる。この時点では、発光領域７〜１２に加え、走査部６から遠い側の蛍光ランプ２の端部において、蛍光灯器具１の発光領域１３が形成される。なお、ビームの進行経路を分かりやすく示すという観点から、発光領域８、９、１１、および１２については図示を省略した。
【００４２】
図９に示す経過（第８経過）において、走査部６は、レーザー５から出射されたビームを反射させ、蛍光ランプ２の内面上であって、走査部６から遠い側の蛍光ランプ２の端部と蛍光ランプ２の中央との中間地点に導く。該ビームが導かれた位置に塗布された蛍光体３が励起され、励起された蛍光体３から発光が得られる。この時点では、発光領域７〜１３に加え、発光領域１３の走査部６側の端部から、該中間地点まで、蛍光灯器具１の発光領域１４が形成される。なお、ビームの進行経路を分かりやすく示すという観点から、発光領域９および１２については図示を省略した。
【００４３】
図１０に示す経過（第９経過）において、走査部６は、レーザー５から出射されたビームを反射させ、蛍光ランプ２の内面上であって、蛍光ランプ２の中央に導く。該ビームが導かれた位置に塗布された蛍光体３が励起され、励起された蛍光体３から発光が得られる。この時点では、発光領域７〜１４に加え、発光領域１４の走査部６側の端部から、蛍光ランプ２の中央まで、蛍光灯器具１の発光領域１５が形成される。
【００４４】
図８〜図１０に示す経過の間、走査部６は徐々に、ビームの反射角θｃが大きくなるようにミラーの角度を変化させ、反射させたビームを導く位置を、蛍光ランプ２の内面上において、徐々に走査部６に近づける。これにより、発光領域１３、発光領域１４、発光領域１５という具合に、走査部６から遠い位置から順に蛍光灯器具１の発光領域が形成されていく。
【００４５】
図１１〜図１３には、蛍光ランプ２の中〜上部２９から発光を得る原理を示している。説明を簡潔にするために、図１１〜図１３に示す経過に係る説明において、蛍光ランプ２の中〜上部２９である旨の表現は省略している。また、中〜上部２９全体にビームを導くためには、ビームを導くべき位置の高さに応じて走査を多数回行う必要があるが、図示を簡潔にするために、図１１〜図１３には、そのうち最後の走査を行う場合を図示している。
【００４６】
図１１に示す経過（第１０経過）において、走査部６は、レーザー５から出射されたビームを反射させ、蛍光ランプ２の内面上であって、走査部６から遠い側の蛍光ランプ２の端部に導く。該ビームが導かれた位置に塗布された蛍光体３が励起され、励起された蛍光体３から発光が得られる。この時点では、発光領域７〜１５に加え、走査部６から遠い側の蛍光ランプ２の端部において、蛍光灯器具１の発光領域１６が形成される。なお、ビームの進行経路を分かりやすく示すという観点から、発光領域８、９、１１、１２、１４、および１５については図示を省略した。
【００４７】
図１２に示す経過（第１１経過）において、走査部６は、レーザー５から出射されたビームを反射させ、蛍光ランプ２の内面上であって、走査部６から遠い側の蛍光ランプ２の端部と蛍光ランプ２の中央との中間地点に導く。該ビームが導かれた位置に塗布された蛍光体３が励起され、励起された蛍光体３から発光が得られる。この時点では、発光領域７〜１６に加え、発光領域１６の走査部６側の端部から、該中間地点まで、蛍光灯器具１の発光領域１７が形成される。なお、ビームの進行経路を分かりやすく示すという観点から、発光領域９、１２、および１５については図示を省略した。
【００４８】
図１３に示す経過（第１２経過）において、走査部６は、レーザー５から出射されたビームを反射させ、蛍光ランプ２の内面上であって、蛍光ランプ２の中央に導く。該ビームが導かれた位置に塗布された蛍光体３が励起され、励起された蛍光体３から発光が得られる。この時点では、発光領域７〜１７に加え、発光領域１７の走査部６側の端部から、蛍光ランプ２の中央まで、蛍光灯器具１の発光領域１８が形成される。
【００４９】
図１１〜図１３に示す経過の間、走査部６は徐々に、ビームの反射角θｄが大きくなるようにミラーの角度を変化させ、反射させたビームを導く位置を、蛍光ランプ２の内面上において、徐々に走査部６に近づける。これにより、発光領域１６、発光領域１７、発光領域１８という具合に、走査部６から遠い位置から順に蛍光灯器具１の発光領域が形成されていく。発光領域７〜１８を総合すると、走査部６から遠い側に位置する、蛍光ランプ２の半分に相当している。
【００５０】
ここで、ＭＥＭＳミラーの角度の可動範囲は小さい。このため、走査部６としてＭＥＭＳミラーを用いた場合、走査したビームを走査部６の近くに導くことが難しい。このため、図１の（ａ）〜（ｃ）に示すとおり、蛍光灯器具１は、走査部６１が、レーザー５１から出射されたビームが蛍光ランプ２の一端側（すなわち、走査部６１から遠い側）の内面に塗布された蛍光体３に入射するように、レーザー５１から出射されたビームを走査する構成としている。同様に、図１の（ａ）〜（ｃ）に示すとおり、蛍光灯器具１は、走査部６２が、レーザー５２から出射されたビームが蛍光ランプ２の他端側（すなわち、走査部６２から遠い側）の内面に塗布された蛍光体３に入射するように、レーザー５２から出射されたビームを走査する構成としている。これにより、蛍光ランプ２全体において、蛍光ランプ２の内面に塗布された蛍光体３にビームを入射させることが容易となる。
【００５１】
なお、レーザー５から出射されたビームは、ＬＥＤ等が発光する光に比べ、単位面積あたりのフォトンの数が多い。このため、ビームを走査しつつ蛍光体３を励起させたとき、蛍光体３は、速やかに励起される一方、長い時間をかけて緩和される。この結果、例えばμｓのオーダーでビームの走査を繰り返すことにより、人間の目には蛍光灯器具１による照明が継続的に行われているように見える。
【００５２】
こうして、蛍光灯器具１では、レーザー５から出射されたビームを走査部６によって走査し、走査後のビームによって蛍光ランプ２の内面に塗布された蛍光体３を励起させて発光を得る。これにより、蛍光灯器具１では、照射範囲の全体に亘って、光量を多くすることができ、十分な明るさを得ることが可能となる。なお、一例として、ワット数１０ｍＷのレーザー５を用いて蛍光灯器具１を構成した場合、蛍光灯器具１のワット数としては４０ｍＷ以上が見込める。
【００５３】
さらに、蛍光灯器具１は、一般に廃棄が困難であるとされる水銀を用いることなく構成することが可能である。このため、蛍光灯器具１の廃棄は容易であり、地球環境にもやさしい。
【００５４】
蛍光灯器具１は、レーザー５および走査部６を備えた照明装置であると解釈することもできる。照明装置の詳細については、後述する実施の形態において説明する。
【００５５】
〔実施の形態２〕
蛍光灯器具１は、レーザー５および走査部６に加え、蛍光ランプ２と、蛍光ランプ２の内面に塗布された蛍光体３とを備えた照明器具であった。
【００５６】
一方、レーザー５および走査部６とは別に、蛍光ランプ２および蛍光体３と同様の機能を有する部材を用意すれば、レーザー５および走査部６により照明装置を構成することも可能である。
【００５７】
図１４は、本実施の形態に係る照明装置の構成を示す断面図である。前述した構成要素と同一の構成要素には同一の参照符号を付し、その詳細な説明は繰り返さない。
【００５８】
図１４に示す照明装置は、レーザー５と、走査部６とを備えている。レーザー５は、ビームを出射するものであり、走査部６は、部屋（構造物）１９の内面に塗布された蛍光体３に入射するレーザー５からのビームの同内面上の位置が移動するように該ビームを走査するものである。
【００５９】
上述したとおり、部屋１９には内面に蛍光体３が塗布されている。そして、レーザー５から出射されたビームは、走査部６により走査された後、部屋１９の内面に塗布された蛍光体３に入射する。これにより、部屋１９の内面に塗布された蛍光体３が励起され、照明が得られる。換言すれば、レーザー５および走査部６は部屋１９全体を高速スキャンして発光させている。
【００６０】
レーザー５および走査部６は、内面に蛍光体３が塗布された部屋１９に取り付け可能な照明装置であると言える。
【００６１】
〔効果の検証１〕
図１〜図１３に示す蛍光灯器具１および図１４に示す照明装置により、十分な明るさを実現することができるという効果について検証を行った。
【００６２】
図１５は、前記効果の検証装置およびメカニズムを示す図である。
【００６３】
図１５に示す検証装置は、蛍光ランプ２、紫外線ＬＥＤ２０、および蛍光ランプチャック２１により構成されている。
【００６４】
紫外線ＬＥＤ２０は、レーザー５の代用品である。
【００６５】
蛍光ランプチャック２１は、蛍光ランプ２を把持するものであり、蛍光ランプ２を中心軸２２の周りに矢印の方向に回転させることができるものである。
【００６６】
ここで、図１５に示す検証装置により蛍光灯器具１の動作原理を再現すべく、該検証装置を下記（１）および（２）のように動作させた。
【００６７】
（１）紫外線ＬＥＤ２０を蛍光ランプ２の内部に挿入し、蛍光ランプ２の内面に十分近づけた。これは、紫外線ＬＥＤ２０は出射光２３の単位面積あたりのフォトンの量が少ないが、紫外線ＬＥＤ２０と蛍光ランプ２の内面とを十分近づければ、十分な光量の光（出射光２３）が蛍光体３に入射され、紫外線ＬＥＤ２０からの出射光２３により走査後のビームを再現することができるためである。
【００６８】
（２）紫外線ＬＥＤ２０を中心軸２２に沿って前後させつつ、蛍光ランプチャック２１により蛍光ランプ２を回転させた。これは、紫外線ＬＥＤ２０の出射光２３を、蛍光ランプ２の内面全体に導くことができ、ビームの走査を再現することができるためである。
【００６９】
そして、紫外線ＬＥＤ２０の出射光２３を蛍光体３に入射して得られた発光スポット２４を視認して、その明るさを確認した。
【００７０】
図１６は、前記効果の検証結果を示す図である。
【００７１】
発光スポット２４は蛍光ランプ２との間に十分鮮明なコントラストを有しており、発光スポット２４が十分明るいものであることが分かる。
【００７２】
図１７は、前記効果の検証結果を示す別の図である。
【００７３】
前記検証装置を前記（１）および（２）のように動作させて得られた発光部分２５は、蛍光ランプ２の中心軸２２の周りに得られている。走査（ここでは、紫外線ＬＥＤ２０を中心軸２２に沿って前後させること）により、このような発光部分２５を蛍光ランプ２の一端から他端まで形成すれば、蛍光ランプ２の全面から照明を得ることが可能である。
【００７４】
〔効果の検証２〕
続いて、図１〜図１３に示す蛍光灯器具１および図１４に示す照明装置により、構造物（図１に示す蛍光ランプ２および図１４に示す部屋１９）の内面全体から発光が得られることを確認するために、以下に示す検証を行った。
【００７５】
図１９は、前記効果の検証装置およびメカニズムを示す図である。
【００７６】
図１９に示す検証装置は、紫外線ＬＥＤ２０、回転軸体３０、および板状部材３１により構成されている。
【００７７】
紫外線ＬＥＤ２０は、固定されている。
【００７８】
回転軸体３０は、円柱状または円筒状の部材である。回転軸体３０における紫外線ＬＥＤ２０側の端部には、板状部材３１が取り付けられている。回転軸体３０は、板状部材３１を中心軸３２の周りに矢印の方向に回転させることができるものである。
【００７９】
板状部材３１は、透明または半透明の板であり、紫外線ＬＥＤ２０と対向する面に蛍光体３が塗布されている。紫外線ＬＥＤ２０から出射された光は、板状部材３１に塗布された蛍光体３に入射される。
【００８０】
図１９に示す検証装置による検証では、回転軸体３０により板状部材３１を回転させつつ、紫外線ＬＥＤ２０から出射された光を予め定められた照射域３３に照射して板状部材３１に塗布された蛍光体３を励起させた。
【００８１】
このとき、励起された蛍光体３からの発光により、板状部材３１上に、照射域３３と略同形状の発光スポット３４が形成される。上述したとおり、板状部材３１は回転軸体３０により回転されるため、板状部材３１の回転方向と反対方向に、複数個の発光スポット３４が中心軸３２の周りに円を描くように順次形成されることとなる（図２０参照）。
【００８２】
また、各発光スポット３４は、しばらくの間（具体的には、自身の発光の基となる蛍光体３が励起されてから緩和されるまでの間）消えずに発光を続ける。この結果、図１９に示す検証装置では、板状部材３１上に複数個の発光スポット３４を形成し、これにより帯状の発光領域を形成することが可能となっている。
【００８３】
そして、この複数個の発光スポット３４により、板状部材３１上に円環状の発光領域を形成することができるかどうかを確認した。
【００８４】
図２０は、前記効果の検証結果を示す図である。
【００８５】
図２０から明らかであるとおり、複数個の発光スポット３４により、板状部材３１上に円環状の発光領域３５を形成することができた。
【００８６】
本発明の態様２に係る照明装置は、前記態様１において、前記光源がレーザーである。
【００８７】
前記の構成によれば、ビームを容易に実現することができる。
【００８８】
本発明の態様３に係る照明装置は、前記態様２において、前記レーザーがＰＷＭ信号によって駆動される。
【００８９】
例えば、レーザーとして一般的なレーザーダイオードを用いた場合、これを連続発振により駆動すると、照明装置の寿命は数十時間程度と非常に短くなる。一方、レーザーをＰＷＭ信号により駆動することによって、照明装置の寿命を延ばすことができる。
【００９０】
本発明の態様４に係る照明装置は、前記態様１から３のいずれかにおいて、前記ビームの波長がＵＶＢの波長である。
【００９１】
一般に、蛍光体は、ＵＶＢの波長を有する光によって励起されるものが多い。前記の構成によれば、ビームの波長をＵＶＢの波長とすることにより、蛍光体の選択の幅を広げることができる。光源の出射光自体の波長がＵＶＢの波長ではなくても、ＳＨＧ（Second Harmonic Generation）により蛍光体への入射光の波長をＵＶＢの波長に変換してもよい。ＳＨＧとは、入射光の半波長の光の発生、すなわち第２次高調波の発生である。
【００９２】
本発明の態様５に係る照明装置は、前記態様１から４のいずれかにおいて、前記走査部が、ＭＥＭＳミラー、ポリゴンミラー、ガルバノミラーのいずれかである。
【００９３】
前記の構成によれば、走査部を容易に実現することができる。
【００９４】
本発明の態様６に係る照明器具は、前記態様１から５のいずれかの照明装置と、前記構造物と、前記蛍光体とを備えていることを特徴としている。
【００９５】
前記の構成によれば、前記照明装置と同様の効果を奏する照明器具を実現することができる。
【００９６】
本発明の態様７に係る照明器具は、前記態様６において、前記構造物が筒状の部材であり、前記光源が前記構造物の一端に配置されており、前記走査部が前記構造物の他端に配置されている。
【００９７】
本発明の態様８に係る照明器具は、前記態様６において、前記構造物が筒状の部材であり、前記光源および前記走査部を２つ備えており、一方の前記光源である第１光源が前記構造物の一端に配置されており、他方の前記光源である第２光源が前記構造物の他端に配置されており、一方の前記走査部である第１走査部が前記構造物の他端に配置されており、他方の前記走査部である第２走査部が前記構造物の一端に配置されており、前記第１走査部は、前記第１光源から出射されたビームが前記構造物の一端側の内面に塗布された蛍光体に入射するように、前記第１光源から出射されたビームを走査し、前記第２走査部は、前記第２光源から出射されたビームが前記構造物の他端側の内面に塗布された蛍光体に入射するように、前記第２光源から出射されたビームを走査する。
【００９８】
例えば、走査部としてＭＥＭＳミラーを用いた場合、走査したビームを走査部の近くに導くことが難しい。このため、前記の構成によれば、第１走査部が、第１光源から出射されたビームが構造物の一端側の内面に塗布された蛍光体に入射するように、第１光源から出射されたビームを走査する。同様に、前記の構成によれば、第２走査部が、第２光源から出射されたビームが構造物の他端側の内面に塗布された蛍光体に入射するように、第２光源から出射されたビームを走査する。これにより、構造物全体において、構造物の内面に塗布された蛍光体にビームを入射させることが容易となる。
【００９９】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０１００】
本発明は、照明装置および照明器具に利用することができる。
【符号の説明】
【０１０１】
１  蛍光灯器具（照明器具）
２  蛍光ランプ（構造物）
３  蛍光体
５  レーザー（光源）
６  走査部
１９  部屋（構造物）
５１  レーザー（第１光源）
５２  レーザー（第２光源）
６１  走査部（第１走査部）
６２  走査部（第２走査部）
【図１】
2015093486.tif 000003
【図２】
2015093486.tif 000004
【図３】
2015093486.tif 000005
【図４】
2015093486.tif 000006
【図５】
2015093486.tif 000007
【図６】
2015093486.tif 000008
【図７】
2015093486.tif 000009
【図８】
2015093486.tif 000010
【図９】
2015093486.tif 000011
【図１０】
2015093486.tif 000012
【図１１】
2015093486.tif 000013
【図１２】
2015093486.tif 000014
【図１３】
2015093486.tif 000015
【図１４】
2015093486.tif 000016
【図１５】
2015093486.tif 000017
【図１７】
2015093486.tif 000018
【図１８】
2015093486.tif 000019
【図１９】
2015093486.tif 000020
【図２０】
2015093486.tif 000021
【図１６】
2015093486.tif 000022
【手続補正書】
【提出日】平成29年1月6日(2017.1.6)
【手続補正１】
【補正対象書類名】特許請求の範囲
【補正対象項目名】請求項１
【補正方法】変更
【補正の内容】
【請求項１】
ビームを出射する光源と、
構造物の内面に塗布された蛍光体に入射する前記ビームの前記内面上の位置が第１の方向および当該第１の方向と異なる第２の方向に移動するように前記ビームを走査する走査部とを備えたことを特徴とする照明装置。
【手続補正２】
【補正対象書類名】明細書
【補正対象項目名】０００７
【補正方法】変更
【補正の内容】
【０００７】
本発明の態様１に係る照明装置は、ビームを出射する光源と、構造物の内面に塗布された蛍光体に入射する前記ビームの前記内面上の位置が第１の方向および当該第１の方向と異なる第２の方向に移動するように前記ビームを走査する走査部とを備えたものであることを特徴としている。
【国際調査報告】
2015093486.tif 000023
2015093486.tif 000024
2015093486.tif 000025
2015093486.tif 000026